(57)【特許請求の範囲】
【請求項１】
第１のアップリンクキャリアのための第１のパイロットチャネルの送信電力レベルを判定するステップ（５００）と、
第２のアップリンクキャリアのための第２のパイロットチャネルの送信電力レベルを判定するステップ（５１０）と、
キャリア管理ユニット（１２０）を用いて、前記第１及び第２のパイロットチャネルの送信電力レベルに基づいて第１及び第２のアップリンクキャリアに優先順位を付けるステップ（５２０）と、
を含み、
前記第１及び第２のアップリンクキャリアに優先順位を付けるステップが、前記第１及び第２のアップリンクキャリアのうちのパイロットチャネルの送信電力レベルが他方のアップリンクキャリアよりも低い方に高い優先順位を割り当てるステップを含む
ことを特徴とする方法。
【請求項２】
第１及び第２のパイロットチャネルの送信電力レベルを判定するステップ（５００，５１０）が、第１及び第２の専用物理制御チャネルの電力レベルを判定するステップを含み、
前記第１及び第２のアップリンクキャリアに優先順位を付けるステップ（５２０）が、前記第１及び第２の専用物理制御チャネル電力レベルに基づいて前記第１及び第２のアップリンクキャリアに優先順位を付けるステップを含む、
ことを特徴とする請求項１に記載の方法。
【請求項３】
前記第１及び第２のアップリンクキャリアにわたる総送信電力が所定の閾値に達した場合、前記第１及び第２のアップリンクキャリアのうちの他方のアップリンクキャリアよりも優先順位が低い方のチャネルの電力を低減するステップ（５３０）をさらに含む、
ことを特徴とする請求項１に記載の方法。
【請求項４】
チャネルの電力を低減するステップ（５３０）が、拡張専用物理データチャネルの利得係数を低減するステップを含む、
ことを特徴とする請求項３に記載の方法。
【請求項５】
前記拡張専用物理データチャネルの利得係数を低減するステップが、前記拡張専用物理データチャネルの利得係数βed,kをβed,k,reducedという値に低減するステップを含む、ことを特徴とする請求項４に記載の方法。
【請求項６】
前記第１及び第２のアップリンクキャリアにデータレートを割り当てるステップ（５４０）をさらに含み、前記第１及び第２のアップリンクキャリアのうちの他方のアップリンクキャリアよりも優先順位が高い方に優先データレートを割り当てる、
ことを特徴とする請求項１に記載の方法。
【請求項７】
プロセッサ（１１２）と、実行可能命令を記憶するメモリ（１１４）とを含む装置（１０２）であって、前記実行可能命令が、前記プロセッサ（１１２）による実行時に前記装置（１０２）に請求項１乃至６のいずれか一項に記載の方法ステップを実行させる、
ことを特徴とする、装置（１０２）。
【請求項８】
請求項１乃至６のいずれか一項に記載の方法をプロセッサに実行させるための命令を含む、コンピュータ読取可能な記録媒体に記録されたコンピュータプログラム。
【請求項９】
第１のアップリンクキャリアのための第１のパイロットチャネルの送信電力レベルを判定する（５００）ための手段と、
第２のアップリンクキャリアのための第２のパイロットチャネルの送信電力レベルを判定する（５１０）ための手段と、
前記第１及び第２のパイロットチャネルの送信電力レベルに基づいて前記第１及び第２のアップリンクキャリアに優先順位を付ける（５２０）ための手段と、
を含み、
前記優先順位を付けるための手段が、前記第１及び第２のアップリンクキャリアのうちのパイロットチャネルの送信電力レベルが他方のアップリンクキャリアよりも低い方に高い優先順位を割り当てることにより、前記第１及び第２のアップリンクキャリアに優先順位を付けるよう構成される
ことを特徴とする装置。
【発明の詳細な説明】
【技術分野】
【０００１】
本発明の実施形態は、一般に通信技術に関し、より具体的には、アップリンクキャリアに優先順位を付けるための方法、装置、及びコンピュータプログラム製品に関する。
【背景技術】
【０００２】
現代の通信時代は、有線及び無線ネットワークの著しい発展をもたらした。コンピュータネットワーク、テレビネットワーク及び電話ネットワークは、消費者需要に活気づけられたかつてない技術拡大を経験している。無線及び移動体ネットワーキング技術は、関連する消費者需要に対処する一方で、より柔軟性及び即時性のある情報転送を提供してきた。
【０００３】
現在の及び将来のネットワーキング技術は、情報転送の容易性及びユーザの利便性を促進し続ける。より容易な又は高速な情報転送及び利便性を提供するために、電気通信産業のサービスプロバイダは、既存のネットワークの改善を押し進めている。
【発明の概要】
【発明が解決しようとする課題】
【０００４】
ユニバーサルモバイルテレコミュニケーションズシステム（ＵＭＴＳ）地上無線アクセスネットワーク（ＵＴＲＡＮ）などのいくつかの進化しつつある無線及び移動体ネットワーキング技術では、ユーザ装置（ＵＥ）などの移動体端末装置にデュアルアップリンクキャリアが割り当てられ、移動体端末がデュアルキャリア対応であれば２つのアップリンクキャリアを利用することができる。しかしながら、現在では、移動体端末によるデュアルアップリンクキャリアの使用には問題があることが分かっている。
【０００５】
この点において、移動体端末は、両方のキャリアで同時に送信を行う場合に電力が制限され、この送信電力を両方のアップリンクキャリア間で共有する必要があり得る。したがって、電力を制限された移動体端末がその総最大送信電力に近付くと、この移動体端末は、キャリアの少なくとも一方の送信電力を低減するために何らかの措置を講じる必要が生じ得る。そうでなければ、この移動体端末は、移動体端末の総送信電力容量を超えることにより、一方又は両方のアップリンクキャリアを失うことになる恐れがある。現在のネットワーキング規格では、２つのアップリンクキャリアの総送信電力がそれぞれの移動体端末の総最大送信電力に近付いている状態又は達している状態で２つのアップリンクキャリアを動作させている場合、送信電力消費を低減するためにどのような措置を講じるかを知的に判断するように移動体端末を構成することができない。さらに、移動体端末によるデュアルアップリンクキャリアの使用では、移動体端末によるトランスポートフォーマットコンビネーション（ＴＦＣ）及び／又は拡張トランスポートフォーマットコンビネーション（Ｅ−ＴＦＣ）の選択などを通じたアップリンクキャリアへのデータレートの割り当てが複雑になる場合がある。
【０００６】
したがって、デュアルアップリンクキャリアのシナリオにおいて、コンピュータ装置がアップリンクキャリアへの電力の増減及び／又はデータレートの割り当てを知的に実行できるように、コンピュータ装置内でアップリンクキャリアに優先順位を付けるための方法、装置、及びコンピュータプログラム製品を提供することが有利となり得る。
【課題を解決するための手段】
【０００７】
したがって、設定構成を同期しやすくするための方法、装置、及びコンピュータプログラム製品を提供する。この点において、コンピュータ装置、コンピュータ装置ユーザ、及びネットワークサービスプロバイダにいくつかの利点を提供できる方法、装置、及びコンピュータプログラム製品を提供する。本発明の実施形態は、コンピュータ装置がアップリンクキャリアの優先順位付けを通じて複数のアップリンクキャリアを実行しているときに、アップリンクキャリアへの電力の増減及び／又はデータレートの割り当てを知的に実施できるようにする。本発明の少なくともいくつかの実施形態では、コンピュータ装置の送信電力が不足し始めたときに、コンピュータ装置がマルチキャリア送信の状況に対処できるようにするシステム、方法、コンピュータプログラム製品、及び装置を提供する。本発明の実施形態は、基地局などのネットワークエンティティにおいて、アップリンクキャリアの優先順位付けを行って優先順位の低いアップリンクキャリアの電力を増減させ、サービスの品質を維持するとともに干渉も低減できるようにする。
【０００８】
第１の例示的な実施形態では、第１のアップリンクキャリアのための第１のパイロットチャネルの送信電力レベルを判定するステップを含む方法を提供する。この実施形態の方法は、第２のアップリンクキャリアのための第２のパイロットチャネルの送信電力レベルを判定するステップをさらに含む。この実施形態の方法は、キャリア管理ユニットを使用して、第１及び第２のパイロットチャネルの送信電力レベルに少なくとも部分的に基づいて第１及び第２のアップリンクキャリアに優先順位を付けるステップをさらに含む。
【０００９】
別の例示的な実施形態では、コンピュータプログラム製品を提供する。このコンピュータプログラム製品は、コンピュータ可読プログラム命令を記憶する少なくとも１つのコンピュータ可読記憶媒体を含む。コンピュータ可読プログラム命令は、複数のプログラム命令を含むことができる。この概要ではプログラム命令に順序を付けているが、この概要は例示を目的として提供するものにすぎず、この順序付けは、コンピュータプログラム製品を要約しやすくするためのものにすぎないことを理解されたい。順序付けの例は、関連するコンピュータプログラム命令の実施構成を決して限定するものではない。この実施形態の第１のプログラム命令は、第１のアップリンクキャリアのための第１のパイロットチャネルの送信電力レベルを判定するように構成される。この実施形態の第２のプログラム命令は、第２のアップリンクキャリアのための第２のパイロットチャネルの送信電力レベルを判定するように構成される。この実施形態の第３のプログラム命令は、第１及び第２のパイロットチャネルの送信電力レベルに少なくとも部分的に基づいて第１及び第２のアップリンクキャリアに優先順位を付けるように構成される。
【００１０】
別の例示的な実施形態では、装置を提供する。この実施形態の装置は、装置に、プロセッサと、プロセッサによる実行時に第１のアップリンクキャリアのための第１のパイロットチャネルの送信電力レベルとを判定させる実行可能命令を記憶するメモリとを含む。この実施形態の実行可能命令は、実行時に装置に、第２のアップリンクキャリアのための第２のパイロットチャネルの送信電力レベルも判定させる。この実施形態の実行可能命令は、実行時にさらに装置に、第１及び第２のパイロットチャネルの送信電力レベルに少なくとも部分的に基づいて第１及び第２のアップリンクキャリアの優先順位を付けさせる。
【００１１】
別の例示的な実施形態では、第１のアップリンクキャリアのための第１のパイロットチャネルの送信電力レベルを判定するための手段を含む装置を提供する。この実施形態の装置は、第２のアップリンクキャリアのための第２のパイロットチャネルの送信電力レベルを判定するための手段をさらに含む。この実施形態の装置は、第１及び第２のパイロットチャネルの送信電力レベルに少なくとも部分的に基づいて第１及び第２のアップリンクキャリアに優先順位を付けるための手段をさらに含む。
【００１２】
上記概要は、本発明のいくつかの態様の基本的な理解をもたらすために、本発明のいくつかの実施形態例を要約する目的でのみ提供するものである。したがって、上述した実施形態例は一例にすぎず、決して本発明の範囲又は思想を狭めるものであると解釈すべきではない。本発明の範囲は多くの潜在的な実施形態を含み、それらのいくつかについて、ここで要約したものに加えて以下でさらに説明する。
【００１３】
以上のように、本発明の実施形態を一般論として説明したが、ここで必ずしも縮尺通りに描いていない添付図面を参照する。
【図面の簡単な説明】
【００１４】
【図１】本発明の例示的な実施形態による、アップリンクキャリアに優先順位を付けるためのシステムを示す図である。
【図２】本発明の例示的な実施形態による移動体端末を示す簡略ブロック図である。
【図３】本発明の例示的な実施形態による、アップリンクキャリアの優先順位付けに少なくとも部分的に基づいてアップリンクキャリアチャネルにおける電力の増減を実施するための例示的な方法によるフロー図である。
【図４ａ】本発明の例示的な実施形態による、デュアルアップリンクキャリアのシナリオにおいて、アップリンクキャリアの優先順位付けに少なくとも部分的に基づいてアップリンクキャリアにデータレートを割り当てるための例示的な方法によるフロー図である。
【図４ｂ】本発明の例示的な実施形態による、デュアルアップリンクキャリアのシナリオにおいて、アップリンクキャリアの優先順位付けに少なくとも部分的に基づいてアップリンクキャリアにデータレートを割り当てるための例示的な方法によるフロー図である。
【図５】本発明の例示的な実施形態による、デュアルアップリンクキャリアのシナリオにおいて、コンピュータ装置がアップリンクキャリアへの電力の増減及び／又はデータレートの割り当てを知的に実施できるようにコンピュータ装置においてアップリンクキャリアに優先順位を付けるための例示的な方法によるフロー図である。
【図６】本発明の例示的な実施形態による、デュアルアップリンクキャリアのシナリオにおいて、コンピュータ装置がアップリンクキャリアへの電力の増減及び／又はデータレートの割り当てを知的に実施できるようにコンピュータ装置においてアップリンクキャリアに優先順位を付けるための例示的な方法によるフロー図である。
【発明を実施するための形態】
【００１５】
以下、本発明の全てではないがいくつかの実施形態を示す添付図面を参照しながら、本発明のいくつかの実施形態についてより完全に説明する。実際には、本発明は多くの異なる形で具体化することができるので、本明細書に示す実施形態に限定されると解釈すべきではなく、むしろこれらの実施形態は、適用可能な法的要件がこの開示によって満たされるように提供するものである。全体を通じて、同じ参照数字は同じ要素を示す。
【００１６】
図１は、本発明の例示的な実施形態による、マルチアップリンクキャリアのシナリオにおいて、コンピュータ装置がアップリンクキャリアへの電力の増減及び／又はデータレートの割り当てを知的に実施できるように、コンピュータ装置においてアップリンクキャリアに優先順位を付けるためのシステム１００のブロック図である。本明細書で使用する「例示的な」という用語は一例を意味するものにすぎず、すなわち本発明の１つの実施形態例を表すものであり、決して本発明の範囲又は思想を限定するものであると解釈すべきではない。なお、本発明の範囲は、本明細書に示し説明するもの以外にも多くの潜在的な実施形態を含む。したがって、図１には、アップリンクキャリアに優先順位を付けるためのシステムの構成の一例を示すが、他の数多くの構成を使用して本発明の実施形態を実施することもできる。さらに、本明細書では、例示のみを目的としてデュアルアップリンクキャリアのシナリオについて説明しており、本発明の実施形態は、あらゆるマルチアップリンクキャリアのシナリオに適用することができる。したがって、本発明の実施形態を、コンピュータ装置が３又はそれ以上のアップリンクキャリアで送信を行っている状況にも適用することができる。
【００１７】
少なくともいくつかの実施形態では、システム１００が、無線通信リンク１１０を介して通信するように構成されたユーザ装置１０２及び１又はそれ以上のネットワークエンティティ１０４を含む。ネットワークエンティティ１０４は、通信リンク１１０を介したネットワークへのアクセスなどのネットワークサービスをユーザ装置１０２に提供するように構成されたいずれかの１又は複数のコンピュータ装置として具体化することができる。この点において、ネットワークエンティティ１０４は、例えば、（セルラーなどの）無線ネットワーク、有線ネットワーク、又はこれらの何らかの組み合わせへの無線アクセスをユーザ装置１０２に提供するネットワークアクセスポイントを含むことができる。いくつかの実施形態では、ネットワークエンティティ１０４が、ユーザ装置１０２にインターネットへの無線アクセスを提供することができる。いくつかの実施形態では、ネットワークエンティティ１０４が基地局（ＢＳ）を含み、ユーザ装置１０２にセルラーネットワーク及び／又はインターネットへの無線アクセスを提供する。ネットワークエンティティ１０４は、ＢＳを含む場合、ＵＴＲＡＮ規格に基づく通信リンク１１０を介したネットワークアクセスをユーザ装置１０２に提供することができる。
【００１８】
ユーザ装置１０２は、ネットワークエンティティ１０４が提供するネットワークサービスにアクセスするためにネットワークエンティティ１０４との通信リンク１１０を確立するように構成されたデスクトップコンピュータ、ラップトップコンピュータ、移動体端末、モバイルコンピュータ、携帯電話、移動体通信装置、ゲーム機、デジタルカメラ／カムコーダ、オーディオ／ビデオプレーヤ、テレビ装置、無線受信機、デジタルビデオレコーダ、位置決め装置、これらのいずれかの組み合わせ、及び／又は同様のものとして具体化することができる。この点において、ユーザ装置１０２は、アップリンクキャリア信号の使用を通じてネットワークエンティティ１０４と通信するように構成することができる。いくつかの実施形態では、ユーザ装置１０２が、ＵＴＲＡＮ規格に基づいてネットワークエンティティ１０４を介してセルラーネットワークにアクセスするように構成することができるユーザ装置（ＵＥ）を含む。例示的な実施形態では、ユーザ装置１０２が、図２に示すような移動体端末として具体化される。
【００１９】
この点において、図２は、本発明の実施形態による、ユーザ装置１０２の１つの実施形態を示す移動体端末１０のブロック図である。しかしながら、図示し以下で説明する移動体端末１０は、本発明の実施形態を実施することができる、及び／又は本発明の実施形態による恩恵を受けることができるユーザ装置１０２の１つの種類を示すものにすぎず、従って本発明の範囲を限定するものであると捉えるべきではない。本明細書では、以下、例示を目的として電子装置のいくつかの実施形態を図示して説明するが、携帯電話、モバイルコンピュータ、携帯情報端末（ＰＤＡ）、ページャ、ラップトップコンピュータ、デスクトップコンピュータ、ゲーム機、テレビ、及びその他の種類の電子システムなどの他の種類の電子装置も本発明の実施形態を使用することができる。
【００２０】
図示のように、移動体端末１０は、送信機１４及び受信機１６と通信するアンテナ１２（又は複数のアンテナ１２）を含むことができる。この移動体端末は、送信機及び受信機との間でそれぞれ信号を供給及び受信するコントローラ２０又はその他の（単複の）プロセッサを含むこともできる。これらの信号は、適用可能なセルラーシステムの無線インターフェイス規格に基づくシグナリング情報、及び／又は以下に限定されるわけではないが、無線フィデリティ（Ｗｉ−Ｆｉ）、米国電気電子技術者協会（ＩＥＥＥ）８０２．１１などの無線ローカルアクセスネットワーク（ＷＬＡＮ）技術、及び／又は同様のものを含むあらゆる数の様々な有線又は無線ネットワーキング技術を含むことができる。また、これらの信号は、スピーチデータ、ユーザ生成データ、ユーザ要求データ、及び／又は同様のものを含むことができる。この点において、この移動体端末は、１又はそれ以上の無線インターフェイス規格、通信プロトコル、変調タイプ、アクセスタイプ、及び／又は同様のもので動作することができる。より詳細には、移動体端末は、様々な第１世代（１Ｇ）、第２世代（２Ｇ）、２．５Ｇ、第３世代（３Ｇ）通信プロトコル、第４世代（４Ｇ）通信プロトコル、及び／又は同様のものに従って動作することができる。例えば、移動体端末は、２Ｇ無線通信プロトコルＩＳ−１３６（時分割多元接続（ＴＤＭＡ））、グローバル・システム・フォー・モバイル・コミュニケーションズ（ＧＳＭ（登録商標））、ＩＳ−９５（符号分割多元接続（ＣＤＭＡ））、及び／又は同様のものに従って動作することができる。また、例えば、移動体端末は、２．５Ｇ無線通信プロトコル汎用パケット無線サービス（ＧＰＲＳ）、拡張データＧＳＭ（登録商標）環境（ＥＤＧＥ）、及び／又は同様のものに従って動作することもできる。さらに、例えば、移動体端末は、ユニバーサルモバイルテレコミュニケーションズシステム（ＵＭＴＳ）、符号分割多元接続２０００（ＣＤＭＡ２０００）、広帯域符号分割多元接続（ＷＣＤＭＡ）、時分割同期符号分割多元接続（ＴＤ−ＳＣＤＭＡ）、及び／又は同様のものなどの３Ｇ無線通信プロトコルに従って動作することもできる。移動体端末は、さらに、ロングタームエボリューション（ＬＴＥ）又は進化型ユニバーサル地上無線アクセスネットワーク（Ｅ−ＵＴＲＡＮ）及び／又は同様のものなどの３．９Ｇ無線通信プロトコルに従って動作することもできる。また、例えば、移動体端末は、第４世代（４Ｇ）無線通信プロトコル及び／又は同様のもの、並びに将来開発できる同様の無線通信プロトコルに従って動作することもできる。
【００２１】
（デジタル／アナログ又はＴＤＭＡ／ＣＤＭＡ／アナログ電話などの）デュアル又は高次モード電話のように、いくつかの狭帯域高度携帯電話システム（ＮＡＭＰＳ）、並びにトータルアクセス通信システム（ＴＡＣＳ）、移動体端末も本発明の実施形態から恩恵を受けることができる。また、移動体端末１０は、無線フィデリティ（Ｗｉ−Ｆｉ）又はワールドワイド・インターオペラビリティ・フォー・マイクロウェーブ・アクセス（ＷｉＭＡＸ）プロトコルに従って動作することもできる。
【００２２】
なお、コントローラ２０は、移動体端末１０のオーディオ／ビデオ機能及び論理機能を実行するための回路を含むことができる。例えば、コントローラ２０は、デジタル信号プロセッサ装置、マイクロプロセッサ装置、アナログデジタルコンバータ、デジタルアナログコンバータ、及び／又は同様のものを含むことができる。これらの装置のそれぞれの機能に基づいて、移動体端末の制御機能及び信号処理機能をこれらの装置間に割り当てることができる。コントローラは、内部ボイスコーダ（ＶＣ）２０ａ、内部データモデム（ＤＭ）２０ｂ、及び／又は同様のものをさらに含むことができる。さらに、コントローラは、メモリに記憶できる１又はそれ以上のソフトウェアプログラムを動作させるための機能を含むことができる。例えば、コントローラ２０は、ウェブブラウザなどの接続プログラムを動作させることができる。移動体端末１０は、この接続プログラムにより、無線アプリケーションプロトコル（ＷＡＰ）、ハイパーテキスト転送プロトコル（ＨＴＴＰ）、及び／又は同様のものなどのプロトコルに従ってロケーションベースのコンテンツなどのウェブコンテンツを送信及び受信できるようになる。移動体端末１０は、送信制御プロトコル／インターネットプロトコル（ＴＣＰ／ＩＰ）を使用して、インターネット又はその他のネットワークを介してウェブコンテンツを送信及び受信することができる。
【００２３】
移動体端末１０は、例えば、イヤホン又はスピーカ２４、リンガ２２、マイク２６、ディスプレイ２８、ユーザ入力用インターフェイス、及び／又は同様のものを含むユーザインターフェイスを含むことができ、これをコントローラ２０に動作可能に結合することができる。図示してはいないが、移動体端末は、検出可能な出力としての機械的振動を提供するための回路などの、移動体端末に関する様々な回路に給電するためのバッテリを含むことができる。ユーザ入力用インターフェイスは、キーパッド３０、タッチディスプレイ（図示せず）、ジョイスティック（図示せず）、及び／又はその他の入力装置などの、移動体端末がデータを受信できるようにする装置を含むことができる。キーパッドを含む実施形態では、キーパッドが、数字（０〜９）キー及び関連キー（＃、＊）、及び／又は移動体端末を動作させるためのその他のキーを含むことができる。
【００２４】
図２に示すように、移動体端末１０は、データを共有及び／又は取得するための１又はそれ以上の手段を含むこともできる。例えば、移動体端末は、短距離無線周波数（ＲＦ）トランシーバ及び／又はインテロゲータ６４を含むことができ、これによりＲＦ技術に基づいて電子装置とデータを共有し、及び／又は電子装置からデータを取得することができる。移動体端末は、例えば、赤外線（ＩＲ）トランシーバ６６、Ｂｌｕｅｔｏｏｔｈ（商標）専門研究委員会により開発されたＢｌｕｅｔｏｏｔｈ（商標）ブランドの無線技術を使用して動作するＢｌｕｅｔｏｏｔｈ（商標）（ＢＴ）トランシーバ６８、無線ユニバーサルシリアルバス（ＵＳＢ）トランシーバ７０及び／又は同様のものなどのその他の短距離トランシーバを含むこともできる。Ｂｌｕｅｔｏｏｔｈ（商標）トランシーバ６８は、（Ｗｉｂｒｅｅ（商標）などの）超低電力Ｂｌｕｅｔｏｏｔｈ（商標）技術無線規格に基づいて動作することができる。この点において、移動体端末１０、特に短距離トランシーバは、移動体端末の、例えば１０メートル以内などの近接範囲内で電子装置へデータを送信し、及び／又は電子装置からデータを受信することができる。図示してはいないが、移動体端末は、無線フィデリティ（Ｗｉ−Ｆｉ）、ＩＥＥＥ８０２．１１技術などのＷＬＡＮ技術、及び／又は同様のものを含む様々な無線ネットワーキング技術に基づいてデータを送信し、及び／又は電子装置からデータを受信することができる。
【００２５】
移動体端末１０は、加入者識別モジュール（ＳＩＭ）３８、取り外し可能ユーザ識別モジュール（Ｒ−ＵＩＭ）、及び／又は同様のものなどの、移動体契約者に関する情報要素を記憶できるメモリを含むことができる。移動体端末は、ＳＩＭの他に、その他の取り外し可能及び／又は固定メモリを含むこともできる。移動体端末１０は、揮発性メモリ４０及び／又は不揮発性メモリ４２を含むことができる。例えば、揮発性メモリ４０は、動的及び／又は静的ＲＡＭ、オンチップ又はオフチップキャッシュメモリ、及び／又は同様のものを含むランダムアクセスメモリ（ＲＡＭ）を含むことができる。組み込み型及び／又は取り外し可能とすることができる不揮発性メモリ４２は、例えば、読み出し専用メモリ、フラッシュメモリ、（ハードディスク、フロッピー（登録商標）ディスクドライブ、磁気テープなどの）磁気記憶装置、光学ディスクドライブ及び／又は媒体、不揮発性ランダムアクセスメモリ（ＮＶＲＡＭ）、及び／又は同様のものを含むことができる。揮発性メモリ４０と同様に、不揮発性メモリ４２は、データを一時記憶するためのキャッシュエリアを含むことができる。このメモリは、移動体端末が使用できる、移動体端末の機能を実行するための１又はそれ以上のソフトウェアプログラム、命令、情報、データ、及び／又は同様のものを記憶することができる。例えば、メモリは、移動体端末１０を一意に識別することができる国際移動体装置識別（ＩＭＥＩ）コードなどの識別子を含むことができる。
【００２６】
図１に戻ると、例示的な実施形態では、ユーザ装置１０２が、プロセッサ１１２、メモリ１１４、通信インターフェイス１１６、ユーザインターフェイス１１８、及び本明細書で説明する様々な機能を実行するためのキャリア管理ユニット１２０などの様々な手段を含む。本明細書で説明するユーザ装置１０２のこれらの手段は、例えばハードウェア要素（適当にプログラムされたプロセッサ、組み合わせ論理回路、及び／又は同様のものなど）、適当に構成された処理装置（プロセッサ１１２など）により実行可能なコンピュータ可読媒体（メモリ１１４など）に記憶されたコンピュータ可読プログラム命令を含むコンピュータプログラム製品（ソフトウェア又はファームウェアなど）、或いはこれらの何らかの組み合わせとして具体化することができる。
【００２７】
プロセッサ１１２は、例えば、デジタル信号プロセッサを伴う１又はそれ以上のマイクロプロセッサ、デジタル信号プロセッサを伴わない１又はそれ以上のプロセッサ、１又はそれ以上のコプロセッサ、１又はそれ以上のコントローラ、処理回路、１又はそれ以上のコンピュータ、例えばＡＳＩＣ（特定用途向け集積回路）又はＦＰＧＡ（フィールドプログラマブルゲートアレイ）などの集積回路を含むその他の様々な処理要素、或いはこれらの何らかの組み合わせを含む様々な手段として具体化することができる。したがって、プロセッサ１１２は、図１には単一のプロセッサとして示しているが、いくつかの実施形態では複数のプロセッサを含む。これらの複数のプロセッサは、互いに動作可能に通信することができ、本明細書で説明するようなユーザ装置１０２の１又はそれ以上の機能を実行するようにまとめて構成することができる。例示的な実施形態では、プロセッサ１１２が、メモリ１１４に記憶された、又はプロセッサ１１２が別様にアクセスできる命令を実行するように構成される。
【００２８】
メモリ１１４は、例えば揮発性及び／又は不揮発性メモリを含むことができる。メモリ１１４は、図１には単一のメモリとして示しているが、揮発性メモリ、不揮発性メモリ、又はこれらの何らかの組み合わせを含むことができる複数のメモリを含むことができる。この点において、メモリ１１４は、例えば、ハードディスク、ランダムアクセスメモリ、キャッシュメモリ、フラッシュメモリ、コンパクトディスク読み出し専用メモリ（ＣＤ−ＲＯＭ）、デジタル多機能ディスク読み出し専用メモリ（ＤＶＤ−ＲＯＭ）、光学ディスク、情報を記憶するように構成された回路、又はこれらの何らかの組み合わせを含むことができる。メモリ１１４は、本発明の例示的な実施形態による様々な機能をユーザ装置１０２に実行させるための情報、データ、アプリケーション、命令、又は同様のものを記憶するように構成することができる。例えば、少なくともいくつかの実施形態では、メモリ１１４が、プロセッサ１１２が処理するための入力データをバッファするように構成される。これに加えて、或いはこれとは別に、少なくともいくつかの実施形態では、メモリ１１４が、プロセッサ１１２が実行するためのプログラム命令を記憶するように構成される。メモリ１１４は、情報を静的及び／又は動的情報の形で記憶することができる。この記憶した情報を、この機能の実行中にキャリア管理ユニット１２０が記憶及び／又は使用することができる。
【００２９】
通信インターフェイス１１６は、通信リンク１１０を介してネットワークエンティティ１０４などの遠隔装置から／へデータを受信及び／又は送信するように構成されたハードウェア、コンピュータ可読媒体（メモリ１１４など）に記憶されて処理装置（プロセッサ１１２など）により実行されるコンピュータ可読プログラム命令を含むコンピュータプログラム製品、又はこれらの組み合わせの形で具体化されたいずれかの装置又は手段として具体化することができる。少なくとも１つの実施形態では、通信インターフェイス１１６が、プロセッサ１１２として少なくとも部分的に具体化され、或いはプロセッサ１１２により別様に制御される。通信インターフェイス１１６は、例えば、システム１００の他のエンティティと通信できるようにするためのアンテナ、送信機、受信機、トランシーバ、及び／又はサポート用ハードウェア又はソフトウェアを含むことができる。通信インターフェイス１１６は、システム１００のコンピュータ装置間の通信に使用できるいずれかのプロトコルを使用してデータを受信及び／又は送信するように構成することができる。通信インターフェイス１１６は、バスなどを介して、メモリ１１４、ユーザインターフェイス１１８、及び／又はキャリア管理ユニット１２０とさらに通信することができる。
【００３０】
ユーザインターフェイス１１８は、プロセッサ１１２と通信して、ユーザ入力の指示を受け取り、及び／又は聴覚的な、視覚的な、機械的な、又はその他の出力をユーザに提供することができる。したがって、ユーザインターフェイス１１８は、例えば、キーボード、マウス、ジョイスティック、ディスプレイ、タッチスクリーンディスプレイ、マイク、スピーカ、及び／又はその他の入力／出力機構を含むことができる。ユーザインターフェイス１１８は、バスなどを介して、メモリ１１４、通信インターフェイス１１６、及び／又はキャリア管理ユニット１２０と通信することができる。
【００３１】
キャリア管理ユニット１２０は、ハードウェア、（メモリ１１４などの）コンピュータ可読媒体に記憶され（プロセッサ１１２などの）処理装置によって実行されるコンピュータ可読プログラム命令を含むコンピュータプログラム製品、又はこれらの何らかの組み合わせなどの様々な手段として具体化することができ、１つの実施形態では、プロセッサ１１２として具体化され、又はプロセッサ１１２により別様に制御される。キャリア管理ユニット１２０がプロセッサ１１２とは別個に具体化される実施形態では、キャリア管理ユニット１２０が、プロセッサ１１２と通信することができる。キャリア管理ユニット１２０は、さらにバスなどを介して、メモリ１１４、通信インターフェイス１１６、及び／又はユーザインターフェイス１１８と通信することができる。
【００３２】
少なくともいくつかの実施形態では、キャリア管理ユニット１２０が、ユーザ装置１０２とネットワークエンティティ１０４の間に１又はそれ以上のアップリンクキャリアを確立して管理するように構成される。キャリア管理ユニット１２０は、ユーザ装置１０２とネットワークエンティティ１０４との間に１又はそれ以上のアップリンクキャリアを確立して高速アップリンクパッケージアクセス（ＨＳＵＰＡ）システムを実現するように構成することができる。キャリア管理ユニット１２０は、アップリンクキャリアを管理するためにアップリンクキャリアに優先順位を付けるように構成される。この点において、キャリア管理ユニット１２０は、（単複の）アップリンクキャリアを介していずれのタイプの（単複の）物理（例えば、トランスポート）チャネルが送信されているか、それぞれのアップリンクキャリアでいずれのタイプのデータが送信されているか、送信される論理チャネルの優先順位、（単複の）アップリンクキャリアのパイロットチャネルの送信電力レベル、アップリンクキャリアのいずれかを介して高速専用物理制御チャネル（ＨＳ−ＤＰＣＣＨ）が送信されているかどうか、及び／又は同様のことに少なくとも部分的に基づいてアップリンクキャリアに優先順位を付けることができる。
【００３３】
キャリア管理ユニット１２０が、それぞれのアップリンクキャリアで送信されるデータのタイプ、及び／又はそれぞれのアップリンクキャリアを介していずれのタイプの（単複の）トランスポートチャネルが送信されているかに少なくとも部分的に基づいてアップリンクキャリアに優先順位を付ける実施形態では、キャリア管理ユニット１２０が、優先順位を付けるそれぞれのアップリンクキャリアを介していずれの（単複の）タイプのデータ及び／又は物理チャネルが送信されているかを判定するように構成される。次に、キャリア管理ユニット１２０は、判定したタイプに少なくとも部分的に基づいてアップリンクキャリアに優先順位を付けることができる。この点において、個々の論理チャネルのタイプが、論理チャネルの階層内に離散的優先順位を有することができる。例えば、ＨＳ−ＤＰＣＣＨを送信するアップリンクキャリアには、ＨＳ−ＤＰＣＣＨを送信していないアップリンクキャリアよりも高い優先順位を割り当てることができる。
【００３４】
キャリア管理ユニット１２０が、それぞれのアップリンクキャリアのパイロットチャネルの送信電力レベルに少なくとも部分的に基づいてアップリンクキャリアに優先順位を付ける実施形態では、キャリア管理ユニット１２０が、優先順位を付けるそれぞれのアップリンクキャリアのパイロットチャネルの送信電力レベルを判定するように構成される。キャリア管理ユニット１２０は、パイロットチャネルの送信電力レベルが第２のアップリンクキャリアよりも低い第１のアップリンクキャリアに、第２のアップリンクキャリアよりも高い優先順位を割り当てるようにさらに構成することができる。いくつかの実施形態では、パイロットチャネルの送信電力レベルが、専用物理制御チャネル（ＤＰＣＣＨ）の電力レベルを含むことがあり、従ってキャリア管理ユニット１２０を、アップリンクキャリアのＤＰＣＣＨ電力レベルを判定し、これらのそれぞれのＤＰＣＣＨ電力レベルに少なくとも部分的に基づいてアップリンクキャリアに優先順位を付けるように構成することができる。
【００３５】
キャリア管理ユニット１２０は、アップリンクキャリアに割り当てられる及び／又はアップリンクキャリアが消費する電力を管理するように構成することができる。キャリア管理ユニット１２０は、閉ループ電力制御を使用することができる。少なくともいくつかの実施形態では、キャリア管理ユニット１２０が、アップリンクキャリアの優先順位に少なくとも部分的に基づいて、１又はそれ以上のアップリンクキャリアチャネルの電力を増減させるように構成される。この点において、確立されたアップリンクキャリアの総送信電力が所定の最大値を超えることができないように、キャリア管理ユニット１２０の電力を制限し、及び／又はキャリア管理ユニット１２０が最大送信電力制限を実施することができる。確立されたアップリンクキャリアの管理では、キャリア管理ユニット１２０を、確立されたアップリンクキャリアの総送信電力が最大許容送信電力を満たさないように及び／又は超えないように、アップリンクキャリアにおけるチャネルの電力を低減するように構成することができる。したがって、１つの実施形態では、キャリア管理ユニット１２０が、１又はそれ以上のアップリンクキャリアの総送信値が所定の閾値電力値以上であるかどうかを判定するように構成される。この所定の閾値電力値は、最大許容送信電力レベルと同等とすることができ、或いは最大許容送信電力レベルよりも低い値を含むことができる。
【００３６】
キャリア管理ユニット１２０は、１又はそれ以上のアップリンクキャリアの総送信値が所定の閾値電力値に達した（例えば、これ以上である）と判断した場合、アップリンクキャリアにおけるチャネルの電力を低減することができる。少なくともいくつかの実施形態では、キャリア管理ユニット１２０が、第２のアップリンクキャリアよりも優先順位が低い第１のアップリンクキャリアにおけるチャネルの電力を低減する。総送信値が所定の閾値電力値に達したという判定の前にアップリンクキャリアに優先順位を付けておくこともでき、及び／又は総送信値が所定の閾値電力値に達したという判定に応じて、キャリア管理ユニット１２０がアップリンクキャリアに優先順位を付けることもできる。したがって、パイロットチャネルの送信電力レベルが高い方のアップリンクキャリアは、ネットワークエンティティ１０４においてより多くの干渉を引き起こす可能性があり、及び／又はパイロットチャネルリンク送信電力レベルが低い方のアップリンクキャリアよりもリンク効率が低い可能性があるので、例えば、キャリア管理ユニット１２０は、パイロットチャネルの送信電力レベルが第２のアップリンクキャリアよりも高いアップリンクキャリアにおけるチャネルの電力（より高いＤＰＣＣＨ電力レベルなど）を低減することができる。キャリア管理ユニット１２０は、優先順位が低い方のアップリンクキャリアにおけるチャネルの電力を、チャネル利得係数を低減することによって低減することができる。アップリンクキャリアが拡張専用物理データチャネル（Ｅ−ＤＰＤＣＨ）を送信中であるいくつかの実施形態では、キャリア管理ユニット１２０が、このＥ−ＤＰＤＣＨ利得係数を低減するように構成される。キャリア管理ユニット１２０は、利得係数βed,kをβed,k,reducedという値に低減するように構成することができる。
【００３７】
（単複の）アップリンクキャリアにおける１又はそれ以上のチャネルの電力を低減しても、総電力送信が所定の閾値電力値を超えないように十分に低減されない場合、キャリア管理ユニット１２０を、１又はそれ以上のフォールバック機構を実現するように構成することができる。例えば、アップリンクキャリアのいずれにも、Ｅ−ＤＰＤＣＨを最小の電力オフセットで送信するのに十分な電力が存在しない場合、キャリア管理ユニット１２０を、単一のアップリンクキャリア送信に移行するための要求をネットワークエンティティ１０４へ送信するように構成することができる。これに加えて、或いはこれとは別に、ネットワークエンティティ１０４は、ユーザ装置１０２とネットワークエンティティ１０４の間に確立されたアップリンクキャリアにおけるアップリンク電力のヘッドルーム（ＵＰＨ）値が低いことを確認して、デュアル又はマルチキャリアモードをシングルキャリアモードに変更してユーザ装置１０２が単一のアップリンクキャリアのみを利用するようにするための決定を（ユーザ装置１０２などへ）信号送信することができる。キャリア管理ユニット１２０は、アップリンクキャリアにおけるＤＰＣＣＨ電力レベルが閾値に達したか又はこれを超えた場合、少なくとも１つのキャリアでゲーティングモードを実施するように構成することができる。キャリア管理ユニット１２０は、アップリンクキャリアにおけるＤＰＣＣＨ電力レベルが閾値に達したか又はこれを超えた場合、１つ以外の全てのキャリアでゲーティングモードを実施するように構成することができる。
【００３８】
少なくともいくつかの実施形態では、デュアル又はその他のマルチアップリンクキャリアのシナリオの場合、キャリア管理ユニット１２０が、それぞれのアップリンクキャリアの優先順位に少なくとも部分的に基づいてアップリンクキャリアにデータレートを割り当てるように構成される。この点において、キャリア管理ユニット１２０は、それぞれのアップリンクキャリアの優先順位に少なくとも部分的に基づいて、トランスポートフォーマットコンビネーション（ＴＦＣ）及び／又は拡張トランスポートフォーマットコンビネーション（Ｅ−ＴＦＣ）の選択を行うことができる。キャリア管理ユニット１２０は、第２のアップリンクキャリアよりも優先順位が高い第１のアップリンクキャリアに優先データレートを割り当てるように構成することができる。
【００３９】
図３は、本発明の例示的な実施形態による、アップリンクキャリアの優先順位に少なくとも部分的に基づいてアップリンクキャリアチャネルにおける電力の増減を実施するための例示的な方法によるフロー図である。図３に示す方法例はデュアルアップリンクキャリアのシナリオに関するものであるが、この方法を、３又はそれ以上のアップリンクキャリアが実現されるシナリオに拡張することもできる。この方法は、動作３００から開始することができ、その後動作３０２において、キャリア管理ユニット１２０が、アップリンクキャリアの総送信（ＴＸ）電力が所定の閾値送信電力値以上であるかどうかを判定することができる。そうでない場合、キャリア管理ユニット１２０は、この方法動作を終了するか、或いは開始動作３００に戻って、アクティブなアップリンクキャリアの送信電力レベルを管理するようにモニタリングループを動作させるように構成することができる。
【００４０】
動作３０２において、キャリア管理ユニット１２０が、総送信電力が所定の閾値送信電力値以上であると判定した場合、動作３０４において、キャリア管理ユニット１２０は、アップリンクキャリアのいずれかで拡張専用チャネル（Ｅ−ＤＣＨ）が送信されているかどうかを判定することができる。アップリンクキャリアのいずれかでＥ−ＤＣＨが送信されている場合、動作３０６において、キャリア管理ユニット１２０は、Ｅ−ＤＣＨが両方のキャリアで送信されているかどうかを判定することができる。Ｅ−ＤＣＨがキャリアの一方のみで送信されている場合、動作３３２において、キャリア管理ユニット１２０が、両方のアップリンクキャリアにおけるＥ−ＤＰＤＣＨ利得係数を低減することができる。
【００４１】
動作３０６において、キャリア管理ユニット１２０が、Ｅ−ＤＣＨが両方のキャリアで送信されていると判定した場合、動作３０８において、キャリア管理ユニット１２０は、それぞれのＥ−ＤＣＨの送信に様々な優先順位が存在するかどうかを判定することができる。この点において、キャリア管理ユニット１２０は、例えば、これらの送信で送信されているデータのタイプに少なくとも部分的に基づいて送信に優先順位を付けることができる。Ｅ−ＤＣＨの送信に様々な優先順位が存在する場合、動作３１０において、キャリア管理ユニット１２０は、優先順位が低い方のＥ−ＤＣＨ送信のＥ−ＤＰＤＣＨ利得係数を低減することができる。しかしながら、Ｅ−ＤＣＨ送信に様々な優先順位が存在しない場合、動作３３４において、キャリア管理ユニット１２０は、ＤＰＣＣＨ電力レベルが高い方のアップリンクキャリア（優先順位が低い方のアップリンクキャリアなど）におけるＥ−ＤＰＤＣＨ利得係数を低減することができる。
【００４２】
次に、動作３１２において、キャリア管理ユニット１２０は、総送信電力が所定の閾値よりも低くなるようにさらなる増減が必要であるかどうか、及び低減された（単複の）アップリンクキャリアにおけるＥ−ＤＰＤＣＨ利得係数が最小許容利得係数になっているかどうかを判定することができる。この点において、専用チャネル（ＤＣＨ）送信は、いずれのＥ−ＤＰＤＣＨ送信よりも高い優先順位を有することができ、ＤＣＨ送信をサポートするのに十分な電力を提供するためにＥ−ＤＰＤＣＨを断続的送信（ＤＴＸ）に低減することができるので、動作３１２において、アップリンクキャリアでＤＣＨが送信されている場合、キャリア管理ユニット１２０は、Ｅ−ＤＰＤＣＨにおいてＤＴＸが適用されている（例えば、送信データが存在しない）かどうかを判定することができる。キャリア管理ユニット１２０が、さらなる増減が必要なく、及び／又はＥ−ＤＰＤＣＨ利得係数がその最小値まで低減されていないと判定した場合、方法は動作３００に戻ることができる。しかしながら、動作３１２で判定される条件のいずれかが真である場合、動作３１４において、キャリア管理ユニット１２０は、（優先順位が高い方のアップリンクキャリアなどの）他方のアップリンクキャリアのＥ−ＤＰＤＣＨ利得係数を低減することができる。この点において、キャリア管理ユニット１２０は、Ｅ−ＤＣＨ送信を介したＤＣＨ送信に優先順位を付け、他方のアップリンクキャリアの（単複の）Ｅ−ＤＰＤＣＨ利得係数を、このキャリアにおけるＤＣＨを公称電力で送信するのに十分な電力が利用できるようになるまで低減するように構成することができる。また、（単複の）Ｅ−ＤＰＤＣＨ利得係数を低減した後には、ＤＣＨ及びＥ−ＤＣＨを同じキャリアで送信することができる。
【００４３】
次に、動作３１６において、キャリア管理ユニット１２０は、さらなる増減が必要かどうか、及びキャリアのいずれかでＨＳ−ＤＰＣＣＨが送信されているかどうかを判定することができる。これが真である場合、動作３１８において、キャリア管理ユニット１２０は、ＨＳ−ＤＰＣＣＨが一方のアップリンクキャリアのみで送信されているかどうかを判定することができる。ＨＳ−ＤＰＣＣＨが一方のアップリンクキャリアのみで送信されている場合、動作３２０において、キャリア管理ユニット１２０は、非ＨＳ−ＤＰＣＣＨキャリアにおけるチャネルを低減し、ＤＰＤＣＨとＤＰＣＣＨの間及び／又は拡張専用物理制御チャネル（Ｅ−ＤＰＣＣＨ）と以前に構成されたＤＰＣＣＨとの間の電力比を維持することができる。次に、動作３２２において、キャリア管理ユニット１２０は、総送信電力が所定の閾値送信電力値よりも低くなるようにさらなる増減が必要かどうかを判定することができる。さらなる増減が必要ない場合、方法は動作３００に戻ることができる。しかしながら、さらなる増減が必要である場合、動作３２４において、キャリア管理ユニット１２０は、ＤＰＤＣＨとＤＰＣＣＨの間及び／又はＥ−ＤＰＣＣＨと以前に構成されたＤＰＣＣＨとの間の電力比を維持しながら、ＨＳ−ＤＰＣＣＨを送信するキャリアにおける１又はそれ以上のチャネルを低減することができる。その後、方法は動作３００に戻ることができる。
【００４４】
しかしながら、動作３１６において、キャリア管理ユニット１２０が、キャリアのいずれにおいてもＨＳ−ＤＰＣＣＨが送信されていないと判定した場合、或いは動作３１８において、ＨＳ−ＤＰＣＣＨが両方のキャリアで送信されていると判定した場合、方法は動作３２６へ進むことができる。動作３２６において、キャリア管理ユニット１２０は、ＤＰＣＣＨ電力レベルがより高いと判定されたキャリア（優先順位が低い方のアップリンクキャリアなど）における１又はそれ以上のチャネルを低減して、ＤＰＤＣＨとＤＰＣＣＨの間、Ｅ−ＤＰＣＣＨとＤＰＣＣＨの間、及び／又はＨＳ−ＤＰＣＣＨと以前に構成されたＤＰＣＣＨとの間の電力比を維持することができる。次に、動作３２８において、キャリア管理ユニット１２０は、総送信電力が所定の閾値送信電力値より小さくなるようにさらなる増減が必要であるかどうかを判定することができる。さらなる増減が必要ない場合、方法は動作３００に戻ることができる。しかしながら、さらなる増減が必要である場合、動作３３０において、キャリア管理ユニット１２０は、優先順位が高い方のキャリアにおける１又はそれ以上のチャネルを低減して、ＤＰＤＣＨとＤＰＣＣＨの間、Ｅ−ＤＰＣＣＨとＤＰＣＣＨの間、及び／又はＨＳ−ＤＰＣＣＨと以前に構成されたＤＰＣＣＨとの間の電力比を維持することができる。その後、方法は動作３００に戻ることができる。
【００４５】
図４は、本発明の例示的な実施形態による、デュアルアップリンクキャリアのシナリオにおいて、アップリンクキャリアの優先順位に少なくとも部分的に基づいてアップリンクキャリアにデータレートを割り当てるための例示的な方法によるフロー図である。図４に示す方法例は、デュアルアップリンクキャリアのシナリオに関するものであるが、この方法を、３又はそれ以上のアップリンクキャリアが実現されるシナリオに拡張することもできる。図４ａを参照すると、この方法では、動作４０２において、キャリア管理ユニット１２０が、アップリンクキャリアのＤＰＣＣＨ電力レベルを判定し、この判定したＤＰＣＣＨ電力レベルに少なくとも部分的に基づいてアップリンクキャリアに優先順位を付けることができる。動作４０４において、キャリア管理ユニット１２０は、アップリンクキャリアのいずれかでＤＣＨが送信されているかどうかを判定することができる。アップリンクキャリアのいずれにおいてもＤＣＨが送信されていない場合、方法は動作４１４へ進むことができ、これについては以下で説明する。
【００４６】
キャリア管理ユニット１２０が、アップリンクキャリアのいずれかでＤＣＨが送信されていると判定した場合、動作４０６において、キャリア管理ユニット１２０は、ＤＣＨが両方のアップリンクキャリアで送信されているかどうかを判定することができる。ＤＣＨが両方のキャリアで送信されている場合、動作４０８において、キャリア管理ユニット１２０は、優先順位が高い方のアップリンクキャリアのＴＦＣを選択することができる。優先順位が高い方のアップリンクキャリアとは、例えば、ＤＰＣＣＨ電力レベルが低い方のアップリンクキャリア及び／又はＤＣＨで優先順位が高い方のデータが送信されているアップリンクキャリアとすることができる。動作４１０において、キャリア管理ユニット１２０は、優先順位が低い方のＤＣＨのＴＦＣを選択することができる。しなしながら、ＤＣＨ送信が一方のアップリンクキャリアのみで行われている場合、動作４１２において、キャリア管理ユニット１２０は、ＤＣＨ送信が行われているアップリンクキャリアのＴＦＣを選択することができる。
【００４７】
次に、動作４１４において、キャリア管理ユニット１２０は、スケジュールされていないＥ−ＤＣＨがアップリンクキャリアで送信されているかどうかを判定することができる。スケジュールされていないＥ−ＤＣＨがアップリンクキャリアで送信されている場合、動作４１６において、キャリア管理ユニット１２０は、スケジュールされていないＥ−ＤＣＨが両方のアップリンクキャリアで送信されているかどうかを判定することができる。スケジュールされていないＥ−ＤＣＨが両方のキャリアで送信されている場合、動作４１８において、キャリア管理ユニット１２０は、優先順位が高い方のアップリンクキャリア（ＤＰＣＣＨ電力レベルが低い方のキャリアなど）のデータを含むスケジュールされていない媒体アクセス制御専用（ＭＡＣ−ｄ）フローの電力オフセットを選択することができる。次に、動作４２０において、キャリア管理ユニット１２０は、キャリアごとのＥ−ＴＦＣ選択を行うことができる。
【００４８】
動作４２０（並びに動作４２４、４３０、４３４、４４０、及び４４６）におけるキャリアごとのＥ−ＴＦＣを選択するための処理を図４ｂに示す。ここで図４ｂを参照すると、この処理では、動作４５０において、キャリア管理ユニット１２０が、電力オフセット（ＰＯ）（ＴｒＢｌｋ）＋ＰＯ（ＭＡＣ−ｄ）≦ＰＯ（スケジュールされていない）という要件を満たす最大トランスポートブロック（ＴｒＢｌｋ）を選択することができる。この点において、ＴｒＢｌｋは、１つの送信時間間隔で送信されるビット数を含むことができる。したがって、Ｅ−ＴＦＣの選択では、ＴｒＢｌｋのサイズを選択することにより、次の送信時間間隔で使用されるデータレートを選択することができる。動作４５２において、キャリア管理ユニット１２０は、動作４５０で選択したＴｒＢｌｋに対し、ＰＯ（ＴｒＢｌｋ）＋ＰＯ（ＭＡＣ−ｄ）で送信するのに十分な電力を利用できるかどうかを判定することができる。十分な電力が存在する場合、キャリア管理ユニット１２０は、動作４５０で選択したＴｒＢｌｋサイズにより示されるビット数を送信し、Ｅ−ＤＰＤＣＨをＰＯ（ＴｒＢｌｋ）＋ＰＯ（ＭＡＣ−ｄ）のオフセットで送信するようにＥ−ＴＦＣを選択する。
【００４９】
しかしながら、動作４５２において、キャリア管理ユニット１２０が十分な電力を利用できないと判定した場合、動作４５６において、キャリア管理ユニット１２０は、ＰＯ（ＴｒＢｌｋ）＋ＰＯ（ＭＡＣ−ｄ）を最大総送信電力（或いはいくつかの実施形態では、電力の増減に使用する所定の閾値送信電力値）を超えずに送信できる最大ＴｒＢｌｋを選択する。次に、動作４５０において、キャリア管理ユニット１２０は、動作４５０で選択したものではなく動作４５６で選択したＴｒＢｌｋサイズにより示されるビット数を送信し、Ｅ−ＤＰＣＨをＰＯ（ＴｒＢｌｋ）＋ＰＯ（ＭＡＣ−ｄ）のオフセットで送信することができる。
【００５０】
再び図４ａを参照すると、動作４２２において、キャリア管理ユニット１２０は、優先順位が低い方のアップリンクキャリアのデータを含むスケジュールされていないＭＡＣ−ｄフローの電力オフセットを選択することができる。次に、動作４２４において、キャリア管理ユニット１２０は、図４ｂに示す処理に基づいてキャリアごとのＥ−ＴＦＣ選択を行うことができる。その後、方法は動作４２６で終了することができる。
【００５１】
しかしながら、動作４１６において、キャリア管理ユニット１２０が、スケジュールされていないＥ−ＤＣＨが両方のキャリアで送信されていないと判定した場合、動作４２８において、キャリア管理ユニット１２０は、スケジュールされていないＥ−ＤＣＨを送信するアップリンクキャリアのデータを含むスケジュールされていないＭＡＣ−ｄフローの電力オフセットを選択することができる。次に、動作４３０において、キャリア管理ユニット１２０は、図４ｂに示す処理に基づいてキャリアごとのＥ−ＴＦＣ選択を行うことができる。次に動作４３２において、キャリア管理ユニット１２０は、他方のアップリンクキャリア（スケジュールされていないＥ−ＤＣＨ送信を含まないアップリンクキャリアなど）のデータを含むスケジュールされたＭＡＣ−ｄフローの電力オフセットを選択することができる。次に、動作４３４において、キャリア管理ユニット１２０は、図４ｂに示す処理に基づいてキャリアごとのＥ−ＴＦＣ選択を行うことができる。その後、方法は動作４２６において終了することができる。
【００５２】
しかしながら、動作４１４において、キャリア管理ユニット１２０が、スケジュールされていないＥ−ＤＣＨがアップリンクキャリアのいずれにおいても送信されていないと判定した場合、動作４３６において、キャリア管理ユニット１２０は、優先順位が高い方のキャリアを（例えば、高い優先順位を割り当てられた、ＰＤＣＣＨ電力レベルが低い方のキャリアの判定されたＤＰＣＣＨ電力レベルに基づいて）選択することができる。次に、動作４３８において、キャリア管理ユニット１２０は、優先順位が高い方のキャリアのデータを含むＭＡＣ−ｄフローの電力オフセットを選択することができる。次に、動作４４０において、キャリア管理ユニット１２０は、図４ｂに示す処理に基づいてキャリアごとにＥ−ＴＦＣを実行することができる。次に、動作４４２において、キャリア管理ユニット１２０は、優先順位が低い方のアップリンクキャリア（ＤＰＣＣＨ電力レベルが高いアップリンクキャリアなど）を選択することができる。次に、動作４４４において、キャリア管理ユニット１２０は、優先順位が高い方のアップリンクキャリアのデータを含むＭＡＣ−ｄフローの電力オフセットを選択することができる。次に、動作４４６において、キャリア管理ユニット１２０は、図４ｂに示す処理に基づいてキャリアごとにＥ−ＴＦＣを実行することができる。その後、方法は動作４２６において終了することができる。
【００５３】
図５は、本発明の例示的な実施形態による、デュアルアップリンクキャリアのシナリオにおいて、コンピュータ装置がアップリンクキャリアへの電力の増減及び／又はデータレートの割り当てを知的に実施できるように、コンピュータ装置においてアップリンクキャリアに優先順位を付けるための例示的な方法によるフロー図である。この方法では、動作５００において、キャリア管理ユニット１２０が、第１のアップリンクキャリアのための第１のパイロットチャネルの送信電力レベル（ＤＰＣＣＨ電力レベルなど）を判定することができる。動作５１０において、キャリア管理ユニット１２０は、第２のアップリンクキャリアのための第２のパイロットチャネルの送信電力レベルを判定することができる。動作５２０において、キャリア管理ユニット１２０は、第１及び第２のパイロットチャネルの送信電力レベルに少なくとも部分的に基づいて第１及び第２のアップリンクキャリアに優先順位を付けることができる。この点において、キャリア管理ユニット１２０は、パイロットチャネルの送信電力レベルが低い方のアップリンクキャリアに高い優先順位を割り当てることができる。キャリア管理ユニット１２０は、アップリンクキャリアに優先順位を付ける上で、それぞれのアップリンクキャリアで送信されるデータのタイプなどのその他の要素を使用することもできる。
【００５４】
いくつかの実施形態では、動作５３０において、第１及び第２のアップリンクキャリアにわたる総送信電力が所定の閾値送信電力値に達した（例えばこれ以上になった）場合、キャリア管理ユニット１２０が、優先順位が低い方のアップリンクキャリアにおけるチャネルの電力を低減することができる。この点において、キャリア管理ユニット１２０は、（Ｅ−ＤＰＤＣＨなどの）チャネルの利得係数を低減することができる。動作５４０において、キャリア管理ユニット１２０は、優先順位が高い方のアップリンクキャリアに割り当てられる優先データレートを有するアップリンクキャリアの優先順位に少なくとも部分的に基づいて、第１及び第２のアップリンクキャリアにデータレートを（例えば、ＴＦＣ及び／又はＥ−ＴＦＣ選択を介して）割り当てることができる。しかしながら、動作５３０及び動作５４０の順序は逆にしてもよい。さらに、動作５３０及び５４０のいずれか又は両方を行わなくてもよい。
【００５５】
図６は、デュアルアップリンクキャリアのシナリオにおいて、コンピュータ装置がアップリンクキャリアへの電力の増減及び／又はデータレートの割り当てを知的に実施できるように、本発明の例示的な実施形態による、コンピュータ装置においてアップリンクキャリアに優先順位を付けるための例示的な方法によるフロー図である。この方法は、動作６００において、キャリア管理ユニット１２０が、第１のアップリンクキャリアで送信するデータのタイプ、又は第１のアップリンクキャリアで送信する物理チャネルのタイプの少なくとも一方を判定することができる。動作６１０において、キャリア管理ユニット１２０は、第２のアップリンクキャリアで送信するデータのタイプ、又は第２のアップリンクキャリアで送信する物理チャネルのタイプの少なくとも一方を判定することができる。動作６２０において、キャリア管理ユニット１２０は、判定したデータタイプ又は判定した物理チャネルタイプの一方又は両方に少なくとも部分的に基づいて、第１及び第２のアップリンクキャリアに優先順位を付けることができる。キャリア管理ユニット１２０は、アップリンクキャリアに優先順位を付ける上で、それぞれのアップリンクキャリアのためのパイロットチャネルの送信電力レベルなどのその他の要素を使用することもできる。したがって、例えば図５に示す方法に関連して図示及び説明した動作５００及び５１０を、図６に示す方法に関連して図示及び説明する方法の動作６２０の前に実行することもできる。
【００５６】
いくつかの実施形態では、動作６３０において、第１及び第２のアップリンクキャリアにわたる総送信電力が所定の閾値送信電力値に達した（例えば、これ以上になった）場合、キャリア管理ユニット１２０が、優先順位が低い方のアップリンクキャリアにおけるチャネルの電力を低減することができる。この点において、キャリア管理ユニット１２０は、（Ｅ−ＤＰＤＣＨなどの）チャネルの利得係数を低減することができる。動作６４０において、キャリア管理ユニット１２０は、優先順位が高い方のアップリンクキャリアに割り当てられる優先データレートを有するアップリンクキャリアの優先順位に少なくとも部分的に基づいて、第１及び第２のアップリンクキャリアにデータレートを（例えば、ＴＦＣ及び／又はＥ−ＴＦＣ選択を介して）割り当てることができる。しかしながら、動作６３０及び動作６４０の順序は逆にしてもよい。さらに、動作６３０及び６４０のいずれか又は両方を行わなくてもよい。
【００５７】
図３〜図６は、本発明の例示的な実施形態によるシステム、方法、及びコンピュータプログラム製品のフロー図である。なお、フロー図の各ブロック又はステップ、及びフロー図内のブロックの組み合わせは、ハードウェア、及び／又はコンピュータ可読プログラム命令を記憶する１又はそれ以上のコンピュータ可読媒体を含むコンピュータプログラム製品などの様々な手段によって実施することができる。例えば、本明細書で説明した手順の１又はそれ以上を、コンピュータプログラム製品のコンピュータプログラム命令により実施することができる。この点において、本明細書で説明した手順を実施する（単複の）コンピュータプログラム製品を、移動体端末、サーバ、又はその他のコンピュータ装置の１又はそれ以上のメモリデバイスによって記憶し、コンピュータ装置内のプロセッサにより実行することができる。いくつかの実施形態では、上述の手順を実施する（単複の）コンピュータプログラム製品を含むコンピュータプログラム命令を、複数のコンピュータ装置のメモリデバイスによって記憶することができる。なお、このようなあらゆるコンピュータプログラム製品を、コンピュータ又はその他のプログラム可能装置にロードして機械を生産し、コンピュータ又はその他のプログラム可能装置上で実行されるコンピュータプログラム製品の命令が、フロー図の（単複の）ブロック又は（単複の）ステップで指定される機能を実施するための手段を生み出すようにすることができる。さらに、コンピュータプログラム製品が、コンピュータプログラム命令を記憶できる１又はそれ以上のコンピュータ可読メモリを含んで、この１又はそれ以上のコンピュータ可読メモリが、コンピュータ又はその他のプログラム可能装置を特定の態様で機能するように指示するようにすることにより、コンピュータプログラム製品がフロー図の（単複の）ブロック又は（単複の）ステップで指定される機能を実行する命令手段を含む製造の物品を含むようにすることができる。この１又はそれ以上のコンピュータプログラム製品のコンピュータプログラム命令をコンピュータ又はその他のプログラム可能装置にロードして、コンピュータ又はその他のプログラム可能装置上でコンピュータ実行処理を生み出すための一連の動作ステップを実行させることにより、コンピュータ又はその他のプログラム可能装置で実行される命令が、フロー図の（単複の）ブロック又は（単複の）ステップで指定される機能を実施するためのステップを提供するようにすることもできる。
【００５８】
したがって、フロー図のブロック又はステップは、指定される機能を実行するための手段の組み合わせ、指定される機能を実行するためのステップの組み合わせ、及び指定される機能を実行するためのプログラム命令手段をサポートする。また、フロー図の１又はそれ以上のブロック又はステップ、及びフロー図内のブロック又はステップの組み合わせを、指定される機能又はステップを実施する特殊用途向けハードウェアベースのコンピュータシステム、或いは特殊用途向けハードウェアと（単複の）コンピュータプログラム製品との組み合わせによって実施することもできる。
【００５９】
上述した機能は、多くの方法で実施することができる。例えば、上述した機能の各々を実施するためのあらゆる好適な手段を利用して本発明の実施形態を実施することができる。１つの実施形態では、好適に構成されたプロセッサが、本発明の要素の全部又は一部を提供することができる。別の実施形態では、本発明の要素の全部又は一部をコンピュータプログラム製品の制御によって構成することができ、或いはこれらの要素がコンピュータプログラム製品の制御によって動作することができる。本発明の実施形態の方法を実行するためのコンピュータプログラム製品は、不揮発性記憶媒体などのコンピュータ可読記憶媒体、及びコンピュータ可読記憶媒体内で具体化される一連のコンピュータ命令などのコンピュータ可読プログラムコード部分を含む。
【００６０】
このように、本発明のいくつかの実施形態は、コンピュータ装置、コンピュータ装置のユーザ、及びネットワークサービスプロバイダにいくつかの利点を提供する。本発明の実施形態は、コンピュータ装置がアップリンクキャリアの優先順位付けを通じて複数のアップリンクキャリアを実行しているときに、アップリンクキャリアへの電力の増減及び／又はデータレートの割り当てを知的に実施できるようにする。本発明の少なくともいくつかの実施形態は、コンピュータ装置の送信電力が不足し始めたときに、コンピュータ装置がマルチキャリア送信の状況に対処できるようにするシステム、方法、コンピュータプログラム製品、及び装置を提供する。本発明の実施形態は、基地局などのネットワークエンティティにおいて、サービスの品質を維持するとともに干渉も低減するために、アップリンクキャリアの優先順位付けを提供して優先順位の低いアップリンクキャリアの電力を増減できるようにする。
【００６１】
上述の説明及び関連する図面に示す教示の恩恵を受ける、本明細書に記載した発明が関連する当業者には、これらの発明の多くの修正及びその他の実施形態が浮かぶであろう。したがって、本発明の実施形態は開示する特定の実施形態に限定されるものではなく、また修正及びその他の実施形態も添付の特許請求の範囲に含まれるということを理解されたい。さらに、上述の説明及び関連図面は、要素及び／又は機能のいくつかの例示的な組み合わせとの関連において例示的な実施形態を説明するものであるが、添付の特許請求の範囲から逸脱することなく、代替の実施形態により要素及び／又は機能の異なる組み合わせを提供できることを理解されたい。この点において、添付の請求項のいくつかには、例えば上記で明確に説明したものとは異なる要素及び／又は機能の組み合わせを記載できるものと考える。本明細書では特定の用語を使用しているが、これらは一般的かつ説明的な意味で使用するものにすぎず、限定を目的とするものではない。
【符号の説明】
【００６２】
５００  第１のアップリンクキャリアのための第１のパイロットチャネルの送信電力レベルを判定
５１０  第２のアップリンクキャリアのための第３のパイロットチャネルの送信電力レベルを判定
５２０  第１及び第２のパイロットチャネル送信電力レベルに少なくとも部分的に基づいて第１及び第２のアップリンクキャリアに優先順位付け
５３０  第１及び第２のアップリンクキャリアにわたる総送信電力が所定の閾値送信電力値に達した場合、優先順位が低い方のアップリンクキャリアにおけるチャネルの電力を低減
５４０  優先順位が高い方のアップリンクキャリアに優先データレートを割り当てることにより、第１及び第２のアップリンクキャリアにデータレートを割り当て
【図１】
0005342022.tif 000002
【図２】
0005342022.tif 000003
【図３】
0005342022.tif 000004
【図４ａ】
0005342022.tif 000005
【図４ｂ】
0005342022.tif 000006
【図５】
0005342022.tif 000007
【図６】
0005342022.tif 000008